(57)【要約】【課題】部材の歪みを軽減する。【解決手段】レンズ鏡筒であって、開口部を有する筒部材と、第１穴と第２穴とを有し、開口部の少なくとも一部を覆って筒部材に固定される被固定部材と、第１穴に挿通され、筒部材と被固定部材とを固定する固定部材と、を備え、筒部材は第２穴に対して移動可能である。上記レンズ鏡筒において、筒部材は、第２穴に対応する受け部を有し、受け部は第２穴に対して移動可能であってもよい。また、受け部と第２穴との位置関係が固定されている場合、筒部材には歪みが生じてもよい。【選択図】図８
2018049301.tif 000002
【特許請求の範囲】
【請求項１】
開口部を有する筒部材と、
第１穴と第２穴とを有し、前記開口部の少なくとも一部を覆って前記筒部材に固定される被固定部材と、
前記第１穴に挿通され、前記筒部材と前記被固定部材とを固定する固定部材と、を備え、
前記筒部材は前記第２穴に対して移動可能である
レンズ鏡筒。
【請求項２】
前記筒部材は、前記第２穴に対応する受け部を有し、
前記受け部は前記第２穴に対して移動可能である
請求項１に記載のレンズ鏡筒。
【請求項３】
前記受け部と前記第２穴との位置関係が固定されている場合、前記筒部材には歪みが生じる
請求項２に記載のレンズ鏡筒。
【請求項４】
前記受け部と前記第２穴との位置関係の固定がなくなると、前記筒部材の前記歪みは軽減される
請求項３に記載のレンズ鏡筒。
【請求項５】
道具を介して前記受け部と前記第２穴との位置関係を固定し、
前記道具を取り外すと前記筒部材の前記歪みが軽減される
請求項３又は請求項４に記載のレンズ鏡筒。
【請求項６】
前記筒部材は第１当接部を有し、
前記被固定部材は第２当接部を有し、
前記第１当接部と前記第２当接部が当接することで、前記筒部材の周方向に対する前記被固定部材の位置が決められる
請求項２から請求項５の何れか１項に記載のレンズ鏡筒。
【請求項７】
前記被固定部材は、２つの前記第１穴を有し、
前記第２当接部は、２つの前記第１穴の間に配される
請求項６に記載のレンズ鏡筒。
【請求項８】
前記受け部は、前記開口部を挟んで前記第１当接部と反対に配される
請求項６又は請求項７に記載のレンズ鏡筒。
【請求項９】
レンズを保持するレンズ保持枠と、
前記固定部材に支持され、前記レンズ保持枠を光軸方向に駆動するアクチュエータと、を備える
請求項１から請求項８の何れか１項に記載のレンズ鏡筒。
【請求項１０】
前記開口部は、前記筒部材の一端を切り欠いた形状である
請求項１から請求項９までの何れか１項に記載のレンズ鏡筒。
【請求項１１】
請求項１から請求項１０までの何れか１項に記載のレンズ鏡筒を備える撮像装置。
【請求項１２】
開口部と第１穴とを有する筒部材と、
第２穴と第３穴とを有し、前記開口部の少なくとも一部を覆って前記筒部材に固定される被固定部材と、
前記第２穴に挿通され、前記筒部材と前記被固定部材とを固定する固定部材と、を備え、
前記固定部材によって前記被固定部材と前記筒部材とが固定された状態で、前記第１穴は前記第３穴に対して移動可能である
レンズ鏡筒。
【発明の詳細な説明】
【技術分野】
【０００１】
本発明は、レンズ鏡筒および撮像装置に関する。
【背景技術】
【０００２】
レンズ鏡筒にモータフレームをねじ止めする構造がある（特許文献１参照）。
［特許文献１］  特開平０９−３２５２５６号公報
【発明の概要】
【発明が解決しようとする課題】
【０００３】
小型レンズ鏡筒では、モータフレームの取り付け部を枠状に形成できない場合がある。このため、取り付けねじの締結により、取り付け部を含む部材が変形することがある。
【課題を解決するための手段】
【０００４】
本発明の一態様においては、開口部を有する筒部材と、第１穴と第２穴とを有し、開口部の少なくとも一部を覆って筒部材に固定される被固定部材と、第１穴に挿通され、筒部材と被固定部材とを固定する固定部材と、を備え、筒部材は第２穴に対して移動可能であるレンズ鏡筒が提供される。
【０００５】
本発明の第二態様においては、上記レンズ鏡筒を備える撮像装置が提供される。
【０００６】
上記発明の概要は、この発明の必要な特徴の全てを列挙したものではない。これらの特徴群のサブコンビネーションもまた発明となり得る。
【図面の簡単な説明】
【０００７】
【図１】一眼レフカメラ１００の模式的断面図である。
【図２】レンズユニット２００の模式的断面図である。
【図３】保持筒２８０を単独で示す斜視図である。
【図４】モータ組立体２７０の取り付け過程を示す斜視図である。
【図５】モータ組立体２７０の取り付け過程を示す斜視図である。
【図６】モータ組立体２７０を取り付けられる保持筒２８０の部分平面図である。
【図７】モータ組立体２７０を取り付けられた保持筒２８０の部分平面図である。
【図８】モータ組立体２７０を取り付けられた保持筒２８０の斜視図である。
【発明を実施するための形態】
【０００８】
以下、発明の実施の形態を通じて本発明を説明する。下記の実施形態は特許請求の範囲にかかる発明を限定するものではない。下記の実施形態の中で説明されている特徴の組み合わせの全てが発明の解決手段に必須であるとは限らない。
【０００９】
図１は、光学機器の一例である一眼レフカメラ１００の模式的断面図である。一眼レフカメラ１００は、レンズユニット２００およびカメラボディ３００を含む。
【００１０】
なお、記載を簡潔にする目的で、下記の説明においては、カメラボディ３００に装着されたレンズユニット２００に対して物体側を、一眼レフカメラ１００の前側または先側と記載する。また、レンズユニット２００に対して物体から遠い側を、一眼レフカメラ１００における後側または背面側と記載する。
【００１１】
レンズユニット２００は、光軸Ｘに沿って配置された第一レンズ群２１０、第二レンズ群２２０、第三レンズ群２３０および第四レンズ群２４０を含む光学系を有する。第一レンズ群２１０、第二レンズ群２２０、第三レンズ群２３０および第四レンズ群２４０は、それぞれレンズ保持枠２１２、２２２、２３２、２４２に個別に保持される。
【００１２】
図示のレンズユニット２００は、第一レンズ群２１０、第二レンズ群２２０、第三レンズ群２３０および第四レンズ群２４０が相互に接近した沈胴状態にある。これにより、レンズユニット２００の光軸Ｘ方向の長さが短縮されて一眼レフカメラ１００の携帯性は向上する。ただし、沈胴状態にあるレンズユニット２００は、光学装置として使用できない。
【００１３】
レンズユニット２００は、固定筒２０１、ズーム環２０２、直進筒２０３、先筒２０４、カム筒２９０、案内筒２０６、先側移動枠２０７および後側移動枠２０９を含む鏡筒を有する。固定筒２０１は、後端にレンズ側マウント部２０８を有する。レンズ側マウント部２０８をカメラボディ３００前面のボディ側マウント部３６０と結合させることにより、固定筒２０１は、カメラボディ３００に対して結合される。
【００１４】
レンズ側マウント部２０８およびボディ側マウント部３６０の結合は解除できる。よって、カメラボディ３００は、規格に適合するレンズ側マウント部２０８を有する他のレンズユニット２００と組み合わせても使用できる。
【００１５】
ズーム環２０２は、固定筒２０１の外周面に配され、ユーザの操作により、光学系の光軸Ｘを回転軸として回転する。レンズユニット２００におけるズーム環２０２は、レンズユニット２００を伸筒させて沈胴状態を解除する場合に、ユーザにより回転操作される。また、ズーム環２０２は、レンズユニット２００の光学系を変倍させる場合にも、ユーザにより回転操作される。
【００１６】
レンズユニット２００において、第三レンズ群２３０を保持するレンズ保持枠２３２は、先側移動枠２０７に対して移動可能に支持される。レンズ保持枠２３２は、先側移動枠２０７に固定されたモータ組立体２７０により駆動される。
【００１７】
モータ組立体２７０は、ステッピングモータ２７２、送りねじ２７４および固定部材２７６を有する。固定部材２７６は、ステッピングモータ２７２および送りねじ２７４を一体的に支持する。アクチュエータとしてのステッピングモータ２７２は、送りねじ２７４を回転駆動する。送りねじ２７４は、ラック部材２７８を介してレンズ保持枠２３２と係合する。
【００１８】
これにより、モータ組立体２７０は、レンズ保持枠２３２に保持された第三レンズ群２３０を移動させることができる。第三レンズ群２３０が移動した場合、レンズユニット２００の光学系の焦点位置が変化する。よって、カメラボディ３００側からの信号に基づいてステッピングモータ２７２を電気的に制御して、レンズユニット２００を合焦させることができる。
【００１９】
カメラボディ３００は、ボディ側マウント部３６０の後方に配されたミラーユニット３７０を備える。ミラーユニット３７０の下方には合焦光学系３８０が配される。ミラーユニット３７０の上方にはフォーカシングスクリーン３５２が配される。
【００２０】
フォーカシングスクリーン３５２の更に上方にはペンタプリズム３５４が配され、ペンタプリズム３５４の後方にはファインダ光学系３５６が配される。ファインダ光学系３５６の後端は、ファインダ３５０としてカメラボディ３００の背面に露出する。
【００２１】
ミラーユニット３７０の後方には、シャッタユニット３１０、ローパスフィルタ３３２、撮像素子３３０、基板３２０および表示部３４０が順次配される。液晶表示板等により形成される表示部３４０は、カメラボディ３００の背面に表われる。基板３２０には、制御部３２２および画像処理部３２４等が実装される。
【００２２】
ミラーユニット３７０は、メインミラー３７１およびサブミラー３７４を含む。メインミラー３７１は、メインミラー回動軸３７３により軸支されたメインミラー保持部３７２に支持される。
【００２３】
サブミラー３７４は、サブミラー回動軸３７６により軸支されたサブミラー保持部３７５に支持される。サブミラー保持部３７５は、メインミラー保持部３７２に対して回動する。よって、メインミラー保持部３７２が回動した場合、サブミラー保持部３７５もメインミラー保持部３７２と共に変位する。
【００２４】
メインミラー保持部３７２の前端が降下した場合、メインミラー３７１は、レンズユニット２００から入射した入射光束上に斜めに位置する。メインミラー保持部３７２が上昇した場合、メインミラー３７１は、入射光束を避けた位置に退避する。
【００２５】
メインミラー３７１が入射光束上に位置する場合、レンズユニット２００を通じて入射した入射光束は、メインミラー３７１に反射されてフォーカシングスクリーン３５２に導かれる。フォーカシングスクリーン３５２は、レンズユニット２００の光学系と共役な位置に配されて、レンズユニット２００の光学系が形成した像を可視化する。
【００２６】
フォーカシングスクリーン３５２上の像は、ペンタプリズム３５４およびファインダ光学系３５６を通じてファインダ３５０から観察される。ここで、ペンタプリズム３５４を通じて像を観察することにより、ファインダ３５０からは正立正像を観察できる。
【００２７】
測光センサ３９０は、ファインダ光学系３５６の上方に配され、分岐された入射光束の一部を受光する。測光センサ３９０は、被写体輝度を検出して、制御部３２２に撮影条件の一部である露出条件を算出させる。
【００２８】
メインミラー３７１は、入射光束の一部を透過するハーフミラー領域を有する。サブミラー３７４は、ハーフミラー領域から入射した入射光束の一部を、合焦光学系３８０に向かって反射する。合焦光学系３８０は、入射した入射光束の一部を焦点検出センサ３８２に導く。これにより、制御部３２２は、レンズユニット２００の光学系を合焦させる場合に移動するレンズの目標位置を決定する。
【００２９】
上記のようなレンズユニット２００およびカメラボディ３００を備える一眼レフカメラ１００においてレリーズボタンが半押しされると、焦点検出センサ３８２および測光センサ３９０が有効になり、被写体像を適切な撮影条件で撮影できる状態になる。
【００３０】
次いで、レリーズボタンが全押しされると、メインミラー３７１およびサブミラー３７４が退避位置に移動して、シャッタユニット３１０が開く。これにより、レンズユニット２００から入射した入射光束は、ローパスフィルタ３３２を通過して、撮像素子３３０に入射する。こうして、レンズユニット２００の光学系により撮像素子３３０の撮像面に形成された画像が撮像される。
【００３１】
図２は、伸筒状態にあるレンズユニット２００の部分的な断面を示す模式図であり、第三レンズ群２３０および第四レンズ群２４０とその駆動機構が示される。図を簡潔にする目的で各部の形状を簡素化しているが、図１と共通の要素には同じ参照番号を付して重複する説明を省く。
【００３２】
レンズユニット２００において、先側移動枠２０７の直進突起部２５９と後側移動枠２０９の直進突起部２６９とは、固定筒２０１の内面に互いに独立して形成された直進溝に個別に係合する。これにより、レンズユニット２００が沈胴状態にある場合、先側移動枠２０７および後側移動枠２０９の後端部分は、光軸Ｘと平行な方向について同じ位置を占め、光軸Ｘを含む断面において重なることができる。よって、先側移動枠２０７および後側移動枠２０９の両方の後端が固定筒２０１の後面に共に突き当たるまで後退させて、レンズユニット２００の光軸Ｘ方向の長さを短縮できる。
【００３３】
レンズユニット２００においてズーム環２０２が回転操作されると、連結ピン２９９によりズーム環２０２に連結されたカム筒２９０も、ズーム環２０２と共に、固定筒２０１に対して相対的に光軸Ｘの廻りを回転する。カム筒２９０の後端近傍に設けられたカムピン２９２の上端は、固定筒２０１の内面に形成されたカム溝４０２に係合しているので、カム筒２９０が回転すると、カム溝４０２に案内されたカムピン２９２に導かれてカム筒２９０は、固定筒２０１の内部を光軸Ｘ方向に移動する。
【００３４】
カム筒２９０が光軸Ｘの廻りを回転した場合、カム筒２９０に対して固定されてカム筒２９０と共に回転するカムピン２９６に対して、カム溝２５６で係合する先側移動枠２０７にも駆動力が伝達される。先側移動枠２０７は、直進突起部２５９が係合する直進溝４０１により回転を規制される。よって、カム溝２５６から駆動力を伝達された場合に、先側移動枠２０７は回転することなく光軸Ｘと平行な方向に移動する。
【００３５】
同様に、カム筒２９０が光軸Ｘの廻りを回転した場合、カム筒２９０の内面に形成されたカム溝２９４もカム筒２９０と共に回転する。よって、カム溝２９４に係合するカムピン２６４を有する後側移動枠２０９にも駆動力が伝達される。後側移動枠２０９は、直進突起部２６９が係合する直進溝４０４により回転を規制される。よって、カムピン２６４に駆動力を伝達された場合に、後側移動枠２０９は、回転することなく光軸Ｘと平行な方向に移動する。
【００３６】
第四レンズ群２４０を保持するレンズ保持枠２４２は、後側移動枠２０９と一体的に形成される。よって、後側移動枠２０９が固定筒２０１に対して光軸Ｘ方向に移動した場合、第四レンズ群２４０も光軸Ｘ方向に移動する。
【００３７】
第三レンズ群２３０を保持するレンズ保持枠２３２は、ラック部材２７８に結合される。ラック部材２７８は、ステッピングモータ２７２により回転駆動される送りねじ２７４に噛み合う。モータ組立体２７０は、ステッピングモータ２７２および送りねじ２７４を一体的に支持する固定部材２７６を有する。固定部材２７６は、保持筒２８０に対して固定される。これにより、ステッピングモータ２７２および送りねじ２７４が、保持筒２８０に対して固定される。
【００３８】
保持筒２８０は、筒部２８２と、取り付け部２８４とを有する。固定部材２７６と、筒部２８２に対して固定される。取り付け部２８４は、止めねじ２８６により先側移動枠２０７に対して固定される。これにより、モータ組立体２７０は、先側移動枠２０７に対して固定され、先側移動枠２０７と一体的に光軸Ｘ方向に移動する。よって、先側移動枠２０７が固定筒２０１に対して光軸Ｘ方向に移動した場合、第三レンズ群２３０も光軸Ｘ方向に移動する。
【００３９】
このように、レンズユニット２００においてズーム環２０２を操作された場合、カムピン２６４、２９２、２９６およびカム溝２９４、４０２、２５６の一連の作用により、第三レンズ群２３０および第四レンズ群２４０の間隔が変化する。これにより、レンズユニット２００の光学系の倍率が変化する。
【００４０】
なお、カムピン２６４、２９２、２９６は、レンズユニット２００の周方向についてそれぞれ異なる位置に配される。よって、これらの要素が、レンズユニット２００の光軸Ｘを含む単一の断面に同時に現れることはない。しかしながら、図２では、カムピン２６４、２９２、２９６相互の作用を示す目的で、これらの要素をひとつの断面上に併せて示す。
【００４１】
また、レンズユニット２００においてステッピングモータ２７２に駆動電力が供給された場合、送りねじ２７４が回転駆動され、ラック部材２７８に駆動力が伝えられる。これにより、第三レンズ群２３０を保持したレンズ保持枠２３２は、先側移動枠２０７および保持筒２８０に対して光軸Ｘ方向に移動する。このように、保持筒２８０は、第三レンズ群２３０を保持するレンズ保持枠２３２を、光軸Ｘ方向に移動可能に支持している。
【００４２】
よって、レンズユニット２００においては、モータ組立体２７０のステッピングモータ２７２を動作させることにより、第三レンズ群２３０を保持するレンズ保持枠２３２を、保持筒２８０および先側移動枠２０７に対して単独で光軸Ｘ方向に移動させる。これにより、レンズユニット２００の光学系の焦点位置が変化し、レンズユニット２００の光学系により形成される像を撮像素子３３０の撮像面上に結像させることができる。
【００４３】
図３は、単独の保持筒２８０を、図１および図２における上方から見下ろした様子を示す斜視図である。保持筒２８０は、一体的に形成された筒部２８２および取り付け部２８４を有する。
【００４４】
保持筒２８０の筒部２８２は略円筒状の形状を有するが、周方向の一部を取り除いて形成された開口部２８８を有する。筒部２８２の外周面には、筒部２８２の周方向について開口部２８８に隣接して平坦な平面をなす一対の平坦領域２８５、２８７が形成される。
【００４５】
図中で上側に位置する一方の平坦領域２８５には、一対のねじ穴２８３とボス２８１とが配される。一対のねじ穴２８３は、平坦領域２８５に対して直交する方向に形成される。ボス２８１は、平坦領域２８５から、筒部２８２の径方向に突出して形成される。図中で下側に位置する他方の平坦領域２８７には、治具受け部２８９が配される。治具受け部２８９は、平坦領域２８７に対して直交する丸穴として形成される。
【００４６】
保持筒２８０の取り付け部２８４は、筒部２８２の先側端部から径方向に拡がるフランジ状に形成される。取り付け部２８４の前面は、筒部２８２と直交する平坦領域を有し、先側移動枠２０７の背面に密着する部分を有する。
【００４７】
図４は、保持筒２８０に対するモータ組立体２７０の取り付け過程を示す斜視図である。保持筒２８０にモータ組立体２７０を取り付ける場合は、まず、モータ組立体２７０の送りねじ２７４側を、保持筒２８０の開口部２８８に挿入する。
【００４８】
開口部２８８に挿入されたモータ組立体２７０の固定部材２７６先端が取り付け部２８４の背面に接近すると、板状の固定部材２７６は、保持筒２８０の一対の平坦領域２８５、２８７にまたがる。これにより、保持筒２８０の周方向について開口部２８８の両端に位置する平坦領域２８５、２８７が連結され、開口部２８８の少なくとも一部は固定部材２７６により覆われる。
【００４９】
開口部２８８に入り込んだ固定部材２７６の図中上側においては、固定部材２７６に設けられた切り込み状の当接部２７１に、保持筒２８０のボス２８１が入り込む。また、固定部材２７６を貫通して設けられた一対の挿通穴２７３が、保持筒２８０のねじ穴２８３に重なる位置に到達する。ただし、挿通穴２７３の内径は、ねじ穴２８３の内径よりも大きいので、ねじ穴２８３が挿通穴２７３の内側に見える。
【００５０】
更に、固定部材２７６の図中下側においては、固定部材２７６を貫通して設けられた位置決め穴２７９が、保持枠の治具受け部２８９の近傍に到達する。位置決め穴２７９は、治具受け部２８９の内径および形状と略同じ内径および形状を有する。
【００５１】
このように、モータ組立体２７０の固定部材２７６を保持筒２８０の開口部２８８にさし込むと、固定部材２７６の当接部２７１と保持筒２８０のボス２８１とが係合する。しかしながら、この段階の固定部材２７６は、保持筒２８０の平坦領域２８５、２８７の表面を滑動して、筒部２８２に対する接線方向に移動できる。
【００５２】
図５は、保持筒２８０に対するモータ組立体２７０の取り付け過程の次の段階を示す斜視図である。図５は、図４と同じ視点から描かれており、共通の要素には同じ参照番号を付す。
【００５３】
続いて、開口部２８８にさし込んだ固定部材２７６を、保持筒２８０の周方向に移動させて、保持筒２８０のボス２８１を当接部２７１の奥に当接させる。これにより、固定部材２７６の保持筒２８０に対する位置は、保持筒２８０の周方向についても位置決めされる。このように、ボス２８１および当接部２７１は、相互の当接により固定部材２７６および保持筒２８０を相互に位置決めする第一の位置決め部を形成する。
【００５４】
なお、上記の例では、円筒状のボス２８１と、Ｕ字形に切り込まれた当接部２７１とにより第一の位置決め部が形成されている。しかしながら、平坦領域２８５、２８７を含む面に沿った固定部材２７６および保持筒２８０の相対位置を定め得る形状であれば、他の形状の部材を組み合わせて第一の位置決め部を形成することができる。
【００５５】
例えば、円筒状のボス２８１に対して、Ｖ字形の切り込みにより形成された当接部２７１を組み合わせてもよい。また、任意の形状で、ボス２８１および当接部２７１が相補的な形状を有していてもよい。この場合、例えば、曲げ加工、プレス加工等により固定部材２７６の一部に立体的な当接部２７１を形成し、保持筒２８０側に、当該当接部２７１と相補的な形状を有する受け部を設けてもよい。
【００５６】
また、第一の位置決め部により、固定部材２７６の図中上端側が保持筒２８０に対して位置決めされた場合、固定部材２７６の図中下端側に設けられた位置決め穴２７９は、保持筒２８０の治具受け部２８９と重なる位置を占める。換言すれば、治具受け部２８９は、固定部材２７６の当接部２７１がボス２８１に当接した場合の位置決め穴２７９の位置に対応して設けられる。
【００５７】
更に、上記のように固定部材２７６が位置決めされた状態を、治具４１０により固定する。即ち、治具４１０の先端に設けられた挿通部４１２を、図中に矢印Ａで示すように、固定部材２７６の位置決め穴２７９に挿通し、更に、保持筒２８０の治具受け部２８９にさし込むことにより、固定部材２７６は、治具４１０により平坦領域２８７に拘束される。これにより、開口部２８８の図中下側においても、固定部材２７６は、保持筒２８０の平坦領域２８７に対して位置決めされる。このように、位置決め穴２７９および治具受け部２８９は、治具４１０の挿通部４１２をさし込むことにより固定部材２７６および保持筒２８０を相互に位置決めする第二の位置決め部を形成する。
【００５８】
こうして、固定部材２７６が、保持筒２８０に対して予め定められた位置で位置決めされると、止めねじ４２０が固定部材２７６の挿通穴２７３に挿通され、更に、保持筒２８０のねじ穴２８３にねじ込まれる。これにより、固定部材２７６が保持筒２８０に対して位置決めされた状態が固定される。
【００５９】
図６は、止めねじ４２０を締結する過程を示す部分平面図である。図６は、固定部材２７６と直交する方向から固定部材２７６を見下ろした状態を示す。
【００６０】
図示の段階において、固定部材２７６の当接部２７１は、保持筒２８０のボス２８１に対して、保持筒２８０の周方向に当接している。また、固定部材２７６の位置決め穴２７９は、治具受け部２８９に先端をさし込んだ治具４１０の挿通部４１２により係止されている。よって、固定部材２７６は、保持筒２８０の開口部２８８の両側において、保持筒２８０に対して結合されている。
【００６１】
上記のような状態で、止めねじ４２０が保持筒２８０のねじ穴２８３にねじ込まれると、やがて、止めねじ４２０のねじ頭が固定部材２７６の表面に当接し、固定部材２７６を保持筒２８０の外周面に向かって押し付ける。この状態から、止めねじ４２０を更にねじ込むと、治具４１０の挿通部４１２により固定部材２７６の図中下端に係止された保持筒２８０の平坦領域２８７が、開口部２８８の反対側に向かって引きつけられる。
【００６２】
このため、保持筒２８０の図中右側が縮径され、図中に符号θにより示すように、保持筒２８０に撓みが生じる。固定部材２７６を保持筒２８０に対して確実に固定するには十分な締めつけトルクで止めねじ４２０を締結しなければならず、この段階で保持筒２８０の撓みを回避することは難しい。
【００６３】
図７は、保持筒２８０に対するモータ組立体２７０の取り付け過程の次の段階を示す部分平面図である。図６と同じ視点から描かれており、共通の要素には同じ参照番号を付す。
【００６４】
上記のように止めねじ４２０の締結が完了すると、治具４１０の把持部４１４を把持して治具受け部２８９および位置決め穴２７９から引き抜くことにより、治具４１０が取り除かれる。これにより、固定部材２７６の平坦領域２８７に対する係止は解除され、保持筒２８０の平坦領域２８７は固定部材２７６から開放される。よって、保持筒２８０は、それ自体の弾性により撓みを解消する。
【００６５】
このように、保持筒２８０は、モータ組立体２７０を取り付ける過程で撓みを生じる。しかしながら、止めねじ４２０を締結した後に治具４１０を取り除くことにより保持筒２８０の撓みは解消される。
【００６６】
なお、治具４１０の挿通部４１２の先端は、レンズユニット２００の組み立て毎に位置決め穴２７９および治具受け部２８９に挿入を繰り返す。よって、先端の縁部を面取りすることにより作業性を向上させることができる。
【００６７】
図８は、モータ組立体２７０を取り付けた保持筒２８０の斜視図である。モータ組立体２７０の固定部材２７６は、当接部２７１の奥をボス２８１に当接させた状態を維持しており、モータ組立体２７０は、ボス２８１により規定された位置に位置決めされている。また、固定部材２７６は、開口部２８８の一端において十分に締め込まれた一対の止めねじ４２０により保持筒２８０に対して締結されているので、位置決めされた状態が継続的に保存される。
【００６８】
更に、開口部２８８の他端において、保持筒２８０の平坦領域２８７は、固定部材２７６から開放されている。よって、保持筒２８０は、成形当初の形状を精度よく回復している。
【００６９】
なお、第二の位置決め部を形成する位置決め穴２７９および治具受け部２８９と治具４１０の組み合わせは、上記の例に限定されない。即ち、固定部材２７６および保持筒２８０の相対位置を一時的に固定し、更に、止めねじ４２０を締結後に当該固定を解除できれば、他の形状の組み合わせでもよい。
【００７０】
例えば、治具４１０の挿通部４１２が、矩形、楔形、円錐形等の他の形状を有し、位置決め穴２７９および治具受け部２８９が挿通部４１２と相補的な形状であってもよい。また、位置決め穴２７９および治具受け部２８９は、固定部材２７６および保持筒２８０の後端側縁部に形成された切り込み等であってもよい。また、治具４１０の挿通部４１２が僅かな弾性を有し、位置決め穴２７９および治具受け部２８９に挿通した場合に、治具４１０を自己保持できるようにしてもよい。
【００７１】
上記の形態では交換可能なレンズユニット２００を備えた一眼レフカメラ１００を例にあげて説明したが、クイックリターンミラーを備えていないノンフレックスカメラであっても上記の構造を適用できる。また、レンズユニット２００とカメラボディ３００とが一体になったカメラの他、カム機構により駆動する光学部材を備えた望遠鏡、測量器、顕微鏡等においても上記の構造を適用できる。
【００７２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００７３】
１００  一眼レフカメラ、２００  レンズユニット、２０１  固定筒、２０２  ズーム環、２０３  直進筒、２０４  先筒、２０６  案内筒、２０７  先側移動枠、２０９  後側移動枠、２０８  レンズ側マウント部、２１０  第一レンズ群、２１２、２２２、２３２、２３２、２４２  レンズ保持枠、２２０  第二レンズ群、２３０  第三レンズ群、２４０  第四レンズ群、２５６、２９４、４０２  カム溝、２５９、２６９  直進突起部、２６４、２９２、２９６  カムピン、２７０  モータ組立体、２７１  当接部、２７２  ステッピングモータ、２７３  挿通穴、２７４  送りねじ、２７６  固定部材、２７８  ラック部材、２７９  位置決め穴、２８０  保持筒、２８１  ボス、２８２  筒部、２８３  ねじ穴、２８４  取り付け部、２８５、２８７  平坦領域、２８６、４２０  止めねじ、２８８  開口部、２８９  治具受け部、２９０  カム筒、２９９  連結ピン、３００  カメラボディ、３１０  シャッタユニット、３２０  基板、３２２  制御部、３２４  画像処理部、３３０  撮像素子、３３２  ローパスフィルタ、３４０  表示部、３５０  ファインダ、３５２  フォーカシングスクリーン、３５４  ペンタプリズム、３５６  ファインダ光学系、３６０  ボディ側マウント部、３７０  ミラーユニット、３７１  メインミラー、３７２  メインミラー保持部、３７３  メインミラー回動軸、３７４  サブミラー、３７５  サブミラー保持部、３７６  サブミラー回動軸、３８０  合焦光学系、３８２  焦点検出センサ、３９０  測光センサ、４１０  治具、４１２  挿通部、４１４  把持部
【図１】
2018049301.tif 000003
【図２】
2018049301.tif 000004
【図３】
2018049301.tif 000005
【図４】
2018049301.tif 000006
【図５】
2018049301.tif 000007
【図６】
2018049301.tif 000008
【図７】
2018049301.tif 000009
【図８】
2018049301.tif 000010